(57)【要約】【課題】  録音装置の入力設定と音声入力アダプターの出力設定とが適切になされること。【解決手段】  音声入力アダプターとカメラはストロボ制御用通信端子を介して通信し、通信の結果カメラに接続された機器が音声入力アダプターであればカメラは許容最大入力振幅をアダプターに通知するとともに所定のフィルター処理およびゲイン設定を行い、アダプターはカメラの許容最大入力振幅以内の振幅を最大出力とすることを特徴とする。【選択図】図１
2020036246.tif 000002
【特許請求の範囲】
【請求項１】
外部の音声機器が接続可能な音声入力端子と、汎用通信端子とを有し、
前記音声入力端子に外部機器が接続され、前記汎用通信端子に前記外部機器の通信端子が接続された場合に、前記汎用通信端子を通じて前記外部機器との通信を行い、
前記通信の結果、前記汎用通信端子に接続された前記外部機器が所定の音声入力用機器である場合、前記汎用通信端子を通じて前記外部機器に対して許容最大入力振幅を通知し、更に、前記音声入力端子からの信号に対するフィルター処理及びゲイン設定を予め定められた所定の処理及び設定とすることを特徴とする録音装置。
【請求項２】
前記録音装置がカメラであることを特徴とする請求項１に記載の録音装置。
【請求項３】
前記汎用通信端子がストロボ制御用通信端子であることを特徴とする請求項２に記載の録音装置。
【請求項４】
前記予め定められた所定のフィルター処理は回路のオフセット除去を目的とする高域通過フィルターであることを特徴とする請求項１に記載の録音装置。
【請求項５】
前記予め定められたゲイン設定は入力ダイナミックレンジを最大とする設定であることを特徴とする請求項１に記載の録音装置。
【請求項６】
自動レベル調整機能を有し、
前記汎用通信端子に接続された外部機器が前記所定の音声入力用機器である場合には前記自動レベル調整機能を無効とすることを特徴とする請求項１に記載の録音装置。
【請求項７】
音声入力レベルの手動設定機能を有し、
前記汎用通信端子に接続された外部機器が前記所定の音声入力用機器である場合には前記手動設定機能を無効とすることを特徴とする請求項１に記載の録音装置。
【請求項８】
前記汎用通信端子に接続された外部機器が前記所定の音声入力用機器である場合であっても、ユーザー設定によってゲインの自動設定機能がオフに設定されている場合には手動設定機能を有効とすることを特徴とする請求項１に記載の録音装置。
【請求項９】
音声出力端子と、汎用通信端子とを備え、
前記汎用通信端子を介して録音装置と通信を行い、前記録音装置からの機器種別問い合わせに対して音声入力用機器であることを回答するとともに、
前記録音装置から許容最大入力振幅が通知された場合には前記許容最大入力振幅に所定の安全率をかけた振幅が最大出力振幅となるように設定し、前記録音装置から許容最大入力振幅が通知されない場合には予め定められた所定の振幅が最大出力となるよう設定することを特徴とする音声入力機器。
【請求項１０】
音声入力機器はＸＬＲ端子を備えた音声入力アダプターであることを特徴とする請求項９に記載の音声入力装置。
【請求項１１】
前記録音装置はカメラであることを特徴とする請求項９に記載の音声入力装置。
【請求項１２】
前記汎用通信端子はストロボ制御用通信端子であることを特徴とする請求項９に記載の音声入力装置。
【請求項１３】
前記録音装置から許容最大入力振幅が通知されない場合に設定する予め定められた所定の振幅は複数の録音装置で入力可能な振幅であることを特徴とする請求項９に記載の音声入力装置。
【発明の詳細な説明】
【技術分野】
【０００１】
本発明は録音装置に関する。
【背景技術】
【０００２】
従来、録音装置と外部機器を接続して音声入力を行う際のゲイン調節を手動で行う以外に外部機器情報で調節を行うものがあった。例えば、特許文献１ではマイクロフォンに設定値を記憶したＲＯＭを搭載し、オーディオ信号処理装置とマイクロフォンが接続されると設定値がオーディオ信号処理装置に送信されて処理装置の各種設定がなされる技術が開示されている。
【先行技術文献】
【特許文献】
【０００３】
【特許文献１】特開２０１１−１０１３１８号公報
【発明の概要】
【発明が解決しようとする課題】
【０００４】
しかしながら、特許文献１に開示された従来技術では接続される録音装置によらず外部機器の出力レベルは固定であるため、録音装置の入力許容レベルが外部機器の出力レベルに対応できていないと音割れが発生してしまうと言う課題があった。
【０００５】
本発明は、録音装置の入力設定と音声入力アダプターの出力設定とが適切になされるようにすることを目的とする。
【課題を解決するための手段】
【０００６】
上記の目的を達成するために、本発明に係る録音装置は、
外部の音声機器が接続可能な音声入力端子と、汎用通信端子とを有し、前記音声入力端子に外部機器が接続され、前記汎用通信端子に前記外部機器の通信端子が接続された場合に、前記汎用通信端子を通じて前記外部機器との通信を行い、前記通信の結果、前記汎用通信端子に接続された前記外部機器が所定の音声入力用機器である場合、前記汎用通信端子を通じて前記外部機器に対して許容最大入力振幅を通知し、更に、前記音声入力端子からの信号に対するフィルター処理及びゲイン設定を予め定められた所定の処理及び設定とすることを特徴とする。
【発明の効果】
【０００７】
本発明に係る録音装置によれば、録音装置の入力設定と音声入力アダプターの出力設定とが適切になされる。
【図面の簡単な説明】
【０００８】
【図１】実施例１のブロック図
【図２】実施例１の通信フローチャート
【図３】実施例１の入出力関係
【図４】実施例１のカメラのフィルター特性
【発明を実施するための形態】
【０００９】
以下に、本発明の好ましい実施の形態を、添付の図面に基づいて詳細に説明する。
【実施例１】
【００１０】
以下、図１を参照して、本発明の第１の実施例による音声入力システムについて説明する。図１は本発明の第１の実施例の構成を示したブロック図であり、図中１０１はカメラ、１０２はカメラマイコン、１０３はカメラ音声処理回路、１０４は外部マイクジャック、１０５はアクセサリーシュー、１０６はメモリーカードである。また、１１０は音声入力アダプター、１１１はＸＬＲコネクター、１１２はアダプター音声処理回路、１１３はアダプターマイコン、１１４は音声出力ケーブル、１１５は音声出力プラグ、１１６はアクセサリーシューコネクター、１２０はＸＬＲ端子を備えたマイクロフォンである。
【００１１】
マイクロフォン１２０からの音声信号は平衡伝送されて不図示のＸＬＲ端子から出力され、ＸＬＲコネクター１１１から音声入力アダプター１１０に入力されてアダプター音声処理回路１１２でゲイン調整、フィルター処理などを施された後に音声出力ケーブル１１４を経て音声出力プラグ１１５に出力される。
【００１２】
音声出力プラグ１１５はカメラの外部マイクジャック１０４に挿入されている。外部マイクジャック１０４のプラグ検出信号はカメラマイコン１０２に接続されており、マイクプラグの挿入が検出されるとカメラマイコン１０２は外部マイクジャック１０４からの音声信号をカメラ音声処理回路１０３でカメラでの記録に適した所定の処理を施したのちに音声データとしてメモリーカード１０６に記録する。
【００１３】
カメラ１０１と音声入力アダプター１１０とはアクセサリーシュー１０５およびアクセサリーシューコネクター１１６を用いて結合される。アクセサリーシュー１０５にはストロボなどのカメラ用のアクセサリーの制御を行うための通信端子が備えられており、アクセサリーシューコネクター１１６には前記通信端子と対向する通信端子が備えられている。アクセサリーシュー１０５の通信端子とアクセサリーシューコネクター１１６の通信端子とはカメラ１０１と音声入力アダプター１１０が結合されると電気的に接続される。
【００１４】
アダプターマイコン１１３とカメラマイコン１０２とは前記通信端子を介して通信を行う。通信の結果、カメラ１０１に装着されたアクセサリーが音声入力アダプター１１０と判断され、かつマイクプラグの挿入が検出されるとカメラマイコン１０２は音声処理回路のゲイン設定、フィルター設定などを音声入力アダプター１１０からの信号を記録するのに適した値に変更する。
【００１５】
ただし、音声入力アダプター１１０非対応のカメラでは通常の外部マイク入力動作のまま音声入力を行うため、条件によってはユーザーが適切なレベル設定を行う必要がある。
【００１６】
カメラ１０１が音声入力アダプター１１０対応のカメラの場合はカメラマイコン１０２からはアダプターマイコン１１３に対してカメラ音声処理回路１０３の許容最大入力振幅が通知される。アダプターマイコン１１３は接続されたカメラ１０１から許容最大入力振幅が通知されると、アダプター音声処理回路１１２の出力振幅を前記許容最大入力振幅に所定のマージンを持って下回る振幅に設定する。通常、前記マージンは１ないし２ｄＢが用いられる。
【００１７】
一方、カメラ１０１が音声入力アダプター１１０非対応のカメラの場合には通信によって許容最大入力振幅が音声入力アダプター１１０に通知されないため非対応カメラのどれであっても入力可能な振幅に音声入力アダプター１１０の出力振幅を制限して動作することにより非対応カメラ接続時の音割れを防止する。
【００１８】
図２は本発明の第１の実施例の動作を示したフローチャートであり、カメラ１０１と音声入力アダプター１１０との通信制御フローを示している。図によって動作を説明する。
【００１９】
音声入力アダプター１１０の電源が投入されると（ステップ：Ｓ２０１）、音声入力アダプター１１０では音声信号の出力レベルデフォルトの出力レベルに設定し（ステップ：Ｓ２０２）、音声信号の出力を開始する（ステップ：Ｓ２０３）。音声入力アダプター１１０の電源投入（ステップ：Ｓ２０１）後はさらに通信端子を経由したカメラからの通信待機状態となる（ステップ：Ｓ２０４）。カメラ１０１はアクセサリーシュー通信を開始すると（ステップ：Ｓ１０１）、アクセサリーに対してアクセサリー種別を問い合わせる（ステップ：Ｓ１０２）。
【００２０】
音声入力アダプター１１０はカメラ１０１からのアクセサリー種別問い合わせ通信にたいして、音声入力アダプターであることを示す所定の値を回答し（ステップ：Ｓ２０５）、許容最大入力振幅通知待ち状態となる（ステップ：Ｓ２０６）。カメラ１０１はアダプター種別問い合わせの回答から対応済みアクセサリーか否かを判断し（ステップ：Ｓ１０３）、対応済みアダプターでない場合（ステップ：Ｓ１０３  ＮＯ）には通信終了となる（ステップ：Ｓ１０４）。
【００２１】
一方、対応済みアダプターの場合（ステップ：Ｓ１０３  ＹＥＳ）には音声入力アダプターに対して許容最大入力振幅を通知する（ステップ：Ｓ１０５）。カメラ１０１から許容最大入力振幅を通知された音声入力アダプター１１０は、通知された許容最大入力振幅に対して所定のマージンを考慮した値が最大出力振幅となるようにアダプター音声処理回路１１２の出力レベルを設定し（ステップ：Ｓ２０７）、音声出力を継続する（ステップ：Ｓ２０８）。
【００２２】
他方、カメラ１０１では音声入力アダプター１１０接続に合わせてカメラ音声処理回路１０３内のフィルター回路（ＨＰＦ）と自動レベル調整回路（ＡＬＣ）をＯＦＦにする（ステップ：Ｓ１０６）。さらにカメラ設定機能によりアダプター接続時のゲイン自動設定機能がＯＦＦとなっている場合には（ステップ：Ｓ１０７  ＮＯ）手動レベル設定機能を有効にするとともに不図示の表示パネルに手動レベル設定中であることを表示する（ステップ：Ｓ１０８）。
【００２３】
カメラ設定機能によりアダプター接続時のゲイン自動設定機能がＯＮとなっている場合には（ステップ：Ｓ１０７  ＹＥＳ）手動レベル設定機能を無効にするとともにカメラ音声処理回路１０３の入力ゲイン設定をあらかじめ定められた所定の値に設定する（ステップ：Ｓ１０９）。上記ステップ：Ｓ１０８ないしＳ１０９の設定がなされた後に、カメラ１０１は音声入力を開始する（ステップ：Ｓ１１０）。
【００２４】
図３は本発明の第１の実施例における音声入力アダプター１１０の出力振幅とカメラ１０１の入力振幅の関係を示したものである。図３（ａ）は音声入力アダプター１１０が対応カメラＡと接続された時の入出力関係であり、対応カメラＡの許容最大入力振幅は１．２Ｖｐ−ｐなので音声入力アダプター１１０の最大出力振幅は１．０Ｖｐ−ｐに設定される。図３（ｂ）は音声入力アダプター１１０が対応カメラＢと接続された時の入出力関係であり、対応カメラＢの許容最大入力振幅は２．０Ｖｐ−ｐなので音声入力アダプター１１０の最大出力振幅は１．６Ｖｐ−ｐに設定される。
【００２５】
図３（ｃ）は音声入力アダプター１１０が非対応カメラと接続された時の入出力関係であり、非対応カメラには非対応カメラＣ用に許容最大入力振幅が１．５Ｖｐ−ｐのものもあるが、非対応カメラＤ用に許容最大入力振幅が０．８Ｖｐ−ｐのものもある。そこで音声入力アダプター１１０の最大出力振幅を０．７Ｖｐ−ｐに設定することによってどちらの非対応カメラが接続されても音割れなどが発生しない音声入力を行うことができる。
【００２６】
図４は本発明の第１の実施例におけるカメラ１０１に音声入力アダプター１１０を接続した場合と、非接続の場合のフィルター特性の違いを示したものである。グラフの「ＯＮ」は音声入力アダプター１１０が接続されていない状態で高域通過フィルター（ＨＰＦ）がＯＮとなった場合の周波数利得特性であり、空調騒音などを抑圧するために１００Ｈｚ以下の低域を減衰させている。
【００２７】
グラフの「ＯＦＦ」音声入力アダプター１１０が接続された状態でＨＰＦがＯＦＦとなった場合の周波数利得特性であり、音声入力アダプター１１０搭載のＨＰＦや、音声入力アダプター１１０前段のミキサーなどでのフィルター設定を損なわないように低域まで伸びた特性となっている。
【００２８】
以上説明した本発明の第１の実施例によれば音声入力アダプター１１０とカメラ１０１をアクセサリーシューで結合する構成としたことで、カメラ１０１に新たな通信インターフェースを設けることなく、カメラアクセサリー制御用通信端子を介して音声入力アダプター１１０とカメラ１０１間の通信を可能とし、通信結果に応じてカメラ１０１側の音声入力設定と音声入力アダプター１１０側の音声出力設定を適切な値に設定することのできる音声入力システムを提供することが可能となるとともに、音声入力アダプター１１０に対応していないカメラが接続された場合でも音割れなどを起こさない音声入力システムを提供することが可能となった。
【００２９】
以上、本発明の好ましい実施形態について説明したが、本発明はこれらの実施形態に限定されず、その要旨の範囲内で種々の変形及び変更が可能である。
【符号の説明】
【００３０】
１０１  カメラ、１０２  カメラマイコン、１０３  カメラ音声処理回路、
１０４  外部マイクジャック、１０５  アクセサリーシュー、
１０６  メモリーカード
【図１】
2020036246.tif 000003
【図２】
2020036246.tif 000004
【図３】
2020036246.tif 000005
【図４】
2020036246.tif 000006